(57)【要約】【課題】オーダワイヤ回線のテストを行うオーダワイヤ通信装置に関し、オーダワイヤシステム内において発生した自装置を含むループを、他のオーダワイヤ通信装置に特別な手段を実装することなく、安価に検出する。【解決手段】テスト信号発生回路23が、他のオーダワイヤ通信装置100を呼び出す呼出信号以外の所定の呼出信号704をテスト用信号として発生してオーダワイヤ回線310に送出し、この所定の呼出信号704をテスト信号検出回路20が検出する。また、制御回路12が、テスト信号発生回路23が所定の呼出信号704を発生しているときのみ、テスト信号検出回路20が所定の呼出信号704を検出するように、テスト信号発生回路23及びテスト信号検出回路20の中の少なくともいずれか一方を制御する。また、端末40が、所定の呼出信号を指定する信号をテスト信号発生回路23に与えると共に、制御回路12にテストの実行を指示する。【選択図】      図１
2005223692.tif 000002
【特許請求の範囲】
【請求項１】
他のオーダワイヤ通信装置を呼び出す呼出信号以外の所定の呼出信号をテスト用信号として発生してオーダワイヤ回線に送出するテスト信号発生回路と、
該所定の呼出信号を検出するテスト信号検出回路と、
を備えたことを特徴とするオーダワイヤ通信装置。
【請求項２】
請求項１において、
該テスト信号発生回路が該所定の呼出信号を発生しているときのみ、該テスト信号検出回路が該所定の呼出信号を検出するように、該テスト信号発生回路及び該テスト信号検出回路の中の少なくともいずれか一方を制御する制御回路をさらに備えたことを特徴とするオーダワイヤ通信装置。
【請求項３】
請求項２において、
該所定の呼出信号を指定する信号を該テスト信号発生回路に与えると共に、該制御回路にテストの実行を指示する端末をさらに有することを特徴としたオーダワイヤ通信装置。
【発明の詳細な説明】
【技術分野】
【０００１】
本発明は、オーダワイヤ通信装置に関し、特に、システム管理者が網運用に使用する打合せ回線、すなわち、オーダワイヤ回線のテストを行うオーダワイヤ通信装置に関するものである。
【０００２】
近年、通信技術の高度な発達に伴い、例えば、ITネットワーク回線は、多重無線装置、光伝送装置、CDMA装置、及びルーター等の多種・多様な装置を複雑に接続したトランク回線や支線回線で構成されるようになって来ている。このようなITネットワーク回線上に構成されるオーダワイヤ回線も複雑となり、例えば、オーダワイヤ回線に意図しないリングが構成されハウリングが発生する等の問題が生じており、オーダワイヤ回線のテストは益々重要になって来ている。
【背景技術】
【０００３】
図11(1)は、一般的なオーダワイヤ通信装置(無線装置)100z(符号100zは、オーダワイヤ通信装置を総称する符号である。)で構成されたオーダワイヤシステム例(1)を示している。このシステム例(1)では、無線装置100zを直列接続されている。すなわち、通信局200_1のオーダワイヤ無線装置100z_1及び通信局200_2の無線装置100z_2が、無線回線300_1で接続され、通信局200_2の無線装置100z_2及び無線装置100z_1が有線で互いに接続され、この無線装置100z_1が、通信局200_3の無線装置100z_2に無線回線300_2で接続されている。
【０００４】
そして、各無線装置100zには、それぞれ、オーダワイヤ通信用の電話機40z_1_1，40z_2_2，40z_2_1，及び40z_3_2(以下、符号40zで総称することがある。)が、それぞれ接続されている。
【０００５】
同図(2)は、同図(1)において、無線回線300_1，300_2(同図(1)参照。)等で構成されたオーダワイヤ回線310のみに注目して電話機40zの接続状態を示しており、各電話機40zは、オーダワイヤ回線310で直列接続されている。
【０００６】
なお、同図(1)及び(2)では、オーダワイヤ回線310のみを示しているが、主回線も同様である。
【０００７】
図12(1)は、一般的なオーダワイヤ通信装置(無線装置)100zで構成されたオーダワイヤシステム例(2)を示している。このシステム例(2)では、無線装置100zがリング状の接続されている。
【０００８】
すなわち、図11(1)に示した通信局200_2と同様に、通信局200_1〜200_4(符号200で総称することがある。)は、互いに有線で接続されたオーダワイヤ無線装置100z_1及び100z_2を備え、通信局200_1〜200_4の無線装置100z_1及び100z_2には、それぞれ、オーダワイヤ用の電話機40z_1_1，40z_1_2，40z_2_1，40z_2_2，40z_3_1，40z_3_2，40z_4_1，及び40z_4_2(図示せず。同図(2)参照。以下、符号40zで総称することがある。)が接続されている。
【０００９】
そして、通信局200_1〜200_4の無線装置100z_1と、通信局200_2〜200_4，200_1の無線装置100z_2とを、それぞれ無線回線300_1〜300_4で接続することにより、無線装置100zはリング状に接続されている。
【００１０】
同図(2)は、同図(1)において、オーダワイヤ回線310及び電話機40zのみを示しており、電話機40zがオーダワイヤ回線310でリング状に接続されている。
【００１１】
通常の場合、図11では、オーダワイヤ信号はループすること無く問題は生じないが、図12の場合オーダワイヤ信号がループ構成を形成してしまうことからハウリングを発生してしまい、オーダワイヤシステムとして機能しなくなる。従来はこのハウリング防止のためにオーダワイヤ信号カット900をリング構成のどこか1ケ所で行う事で、オーダワイヤ信号がループ構成になることを回避していた。
【００１２】
図13(1)は、図12(1)と同様に、リング状に接続された通信局200_1〜200_4を示しており、各通信局200に配置されたオーダワイヤ通信装置100z_1，100z_2がリング状に接続されている。
【００１３】
同図(2)は、通信局200の構成例を示しており、同図(1)では、特に、同図(2)の通信局200_1を示している。この通信局200_1は、相互に有線で接続された無線装置(オーダワイヤ通信装置)100z_1及び100z_2、高次群MUX110_1〜110_4、高次群MUX120_1及び120_2、並びに制御監視装置130を備えている。
【００１４】
また、無線装置100z_1，100z_2、高次群MUX110_1，120_1，110_3、及び制御監視装置130には、電話機40_1_1〜40_1_6(以下、符号40で総称することがある。)が接続されている。そして、電話機40z_1_1〜40z_1_6が、システム管理者が必要とする所定の位置に配置されている。
【００１５】
このような構成の通信局200においては、自通信局200_1内の電話機40z間や他の通信局200の電話機40z(図示せず。)間を接続するためのオーダワイヤ回線が複雑に張り巡らされている。この結果、ハウリング発生原因であるループが構成される可能性のある箇所は、同図に示すように、例えば、ループ400_1〜19がある。
【００１６】
このように、無線装置100z、高次群MUX110，120、及び制御監視装置130のみで構成されている通信局200内においても、複雑化したオーダワイヤ回線が構成される。したがって、上述したように、多種・多様な装置の複合装置から構成された近年のITネットワークシステムではＱ、一般的に、装置が異なればシステム管理者も異なり、受け持つ範囲が異なるため、それぞれの装置には個別のオーダワイヤシステムが必要になる。これらのオーダワイヤシステムを接続したオーダワイヤシステム網全体はさらに複雑化し、システムが大きくなればなるほど、オーダワイヤ信号がループを構成してしまう可能性が増大する。
【００１７】
ここで、まず、従来のオーダワイヤシステムの一例として、他のオーダワイヤ通信装置100zを呼び出す呼出信号としてDTMF信号を用いるシステムを説明する。
【００１８】
図14は、図11又は図12に示した通信局200_1の無線装置(オーダワイヤ通信装置)100z_1及び通信局200_2の無線装置100z_2を示しており、この無線装置100z_1及び100z_2、これらにそれぞれ接続される電話機40z_1_1，40z_2_2(以下、符号40zで総称することがある。)、及び無線装置100z_1及び100z_2を接続する無線回線300等で構成されている。
【００１９】
無線装置100zは、ディジタルDTMF信号発生回路10z、オン/オフ・フック制御回路12、ディジタルDTMF信号検出回路13z、リンガー回路15z、リング・バック・トーン回路16、及びスイッチ17_1，17_2を備えている。なお、ディジタルDTMF信号発生回路10z及びディジタルDTMF信号検出回路13zには、それぞれ、A/D変換器11及びD/A変換器14が含まれている。
【００２０】
電話機40zは、受話器41z及び電話機本体42zで構成され、この本体42zは、テンキー43、アナログDTMF信号発生回路44、オン/オフ・フック制御回路45、リンガー駆動回路46、及びベル47を備えている。
【００２１】
以下に、通常のオーダワイヤ通信を行う手順を説明する。
【００２２】
まず、前提として、通常状態のオンフック状態(受話器を置いた状態)では、無線装置100zのオン/オフ・フック制御回路12は、それぞれ、スイッチ制御信号802_1，802_2で、それぞれスイッチ17_1及び17_2を“オフ状態”及び“オン状態”として他の無線装置100zからの呼出信号を受信可能状態にしている。
【００２３】
ステップS700：システム管理者が、受話器41zをオフフック状態(持ち上げた状態)にすると、これを検出したオン/オフ・フック制御回路45は、オフフック状態を示すオン/オフ・フック状態通知801を２-ワイヤ信号線60_1を経由して、無線装置100zのオン/オフ・フック制御回路12に与える。
【００２４】
ステップS701：制御回路12は、スイッチ制御信号802_1及び802_2で、それぞれスイッチ17_1及び17_2を「オフ状態→オン状態」及び「オン状態→オフ状態」にする。
【００２５】
ステップS702：システム管理者は、テンキー43から、例えば、無線装置100z_2の電話番号＝“1234”をアナログDTMF信号発生回路44に与える。発生回路44は、“1234”に相当するアナログDTMF信号803を呼出信号として信号線60_1を経由してディジタルDTMF信号発生回路10zのA/D変換器11に与える。
【００２６】
ステップS703：ディジタルDTMF信号発生回路10zは、A/D変換器11においてアナログDTMF信号803をディジタルDTMF信号804に変換した後、オーダワイヤ回線(下り回線)300bに送出する。ディジタルDTMF信号804は、無線回線300を経由して通信局200_2の無線装置100z_2に受信される。
【００２７】
ステップS704：無線装置100z_2において、ディジタルDTMF信号検出回路13は、受信したディジタルDTMF信号804が示す電話番号＝“1234”が自分自身の番号に一致しているので、呼び出されたことをシステム管理者に通知するためのリンガー回路制御信号805をリンガー回路15に与える。
【００２８】
リンガー回路15は、呼出信号を受信したことをリング・バック・トーン回路16に通知し、リング・バック・トーン回路16は、リンガー信号806を２-ワイヤ信号線60_2を経由して電話機40z_2_2に送信する。さらに、リング・バック・トーン回路16は、上り回線300aにリンガーバックトーン信号807を送出する。この信号807の説明は、本発明に関係しないので省略する。
【００２９】
ステップS705：電話機40z_2_2において、ベル47は、リンガー信号806を受信したリンガー駆動回路46で駆動され鳴動し、呼出信号を受信したことをシステム管理者に知らせる。
【００３０】
次に、従来のループ検出方式を説明する。
【００３１】
図15は、図14に示した通信局200_1の無線装置100z_1における従来のループテストを示している。すなわち、無線装置100z_1において、下り回線300b及び上り回線300aに、それぞれ、端子18_1及び18_2を設け、これらの端子18_1及び18_2に、それぞれ、オーダワイヤループテスト用測定器70のテスト信号発生器71及びレベルメータ72を接続する。
【００３２】
そして、テスト信号発生器71はテスト用信号810を送出する(ステップS800参照。)。このテスト用信号810は、下り回線300bを経由して、例えば、通信局200_2及び200_3の無線装置100z_1及び100z_2に到達する。
【００３３】
通信局200_3の無線装置100z_1において、下り回線300bと上り回線300aを接続するようなループが発生している場合(ステップS801参照。)、テスト用信号810は、上り回線300aに伝送され、この上り回線300a及び端子18_2を経由してレベルメータ72に戻って来る。そして、レベルメータ72でテスト用信号810を検出することによりループが発生していることが分かる(ステップS802参照。)。
【００３４】
また、オーダワイヤ回線を監視する従来の伝送装置、オーダワイヤ伝送システム、及びオーダワイヤ監視方法として、伝送装置(図15の無線装置100zに相当する。)NEに、送受信データを記憶する記憶部及びオーダワイヤ監視制御部を有する監視処理部を備えたものがある。
【００３５】
そして、例えば伝送装置NE2をテストデータ送信伝送装置に指定し、伝送装置NE1をテストデータ受信伝送装置に指定する。
【００３６】
テストデータ送信伝送装置NE2のオーダワイヤ監視部は、記憶部に記憶されたテストデータをオーダワイヤ回線へ送出する送出制御を行い、テストデータ受信伝送装置NE1のオーダワイヤ監視部は、オーダワイヤ回線から受信した受信テストデータを記憶部へ書き込む書込制御を行う。
【００３７】
さらに、伝送装置NE1のオーダワイヤ監視部は、受信データ及びその解析データ、又は判定データ等の返送データをオーダワイヤ回線に送出する制御を行い。
【００３８】
テストデータ送信伝送装置NE2のオーダワイヤ監視部は、オーダワイヤ回線からの返送データを受信してオーダワイヤ回線の正常性を監視する(例えば、特許文献１)。
【特許文献１】特開２００１−２４７８９(５頁、図１及び図２)
【発明の開示】
【発明が解決しようとする課題】
【００３９】
上述したように、図12のような単純なリング構成の場合、オーダワイヤ信号カットをどこか1ケ所で行うことでハウリングの問題は解決する。しかしながら、実際のオーダワイヤ回線は、図13のような複合構成であり、構成する装置が、光伝送装置、CDMA装置、ルーター装置、及び交換装置等、多種多様な装置から構成される大規模ネットワークの場合、どこかでリング状態を作ってしまう可能性が非常に高くなる。
【００４０】
また、複合構成のオーダワイヤシステムにおいては、正常に動作しない原因が、オーダワイヤ信号ループが原因なのか、各装置自身の故障が原因なのかの切り分けが非常に難しくなる。オーダワイヤ信号ループが原因としては、オーダワイヤシステム設計上のミス及び布線の工事ミス等が考えられるが、布線をチェックするにしてもリモートでのチェックは出来ないため、現場にわざわざ出向いてチェックすることになり、この確認作業に多くの時間を費やすことになる。
【００４１】
図15に示したオーダワイヤループテストは、オーダワイヤループテスト用測定器70を準備する為の費用が掛かること、測定器70を現場へ搬入しなければならない等のわずらわしさが発生する。
【００４２】
上述した従来の伝送装置(オーダワイヤ通信装置)、オーダワイヤ伝送システム、及びオーダワイヤ監視方法は、オーダワイヤ回線の状態を監視するものであり、特にループのみを検出するものではないが、ループも検出するもことが可能である。
【００４３】
しかしながら、この装置、システム、及び方法においては、オーダワイヤ伝送システム内の検査を必要とする伝送装置の全てに、監視処理部を実装し、これらの監視処理部を遠隔制御して、テスト信号を送出し、このテスト信号を受信した監視処理部が応答信号を返送し、この応答信号に基づきループの有無を判断する必要がある。
【００４４】
したがって、本発明は、オーダワイヤ回線のテストを行うオーダワイヤ通信装置において、オーダワイヤシステム内において発生した自装置を含むループを、他のオーダワイヤ通信装置に特別な手段を実装することなく、安価に検出することを課題とする。
【課題を解決するための手段】
【００４５】
上記の課題を解決するため本発明に係るオーダワイヤ通信装置100は、他のオーダワイヤ通信装置100を呼び出す呼出信号以外の所定の呼出信号をテスト用信号として発生してオーダワイヤ回線に送出するテスト信号発生回路と、該所定の呼出信号を検出するテスト信号検出回路とを備えたことを特徴としている。
【００４６】
図１は、本発明の原理(1)を示しており、同図では、理解を容易にするため、ディジタルDTMF信号を呼出信号とするオーダワイヤ通信装置100の機能に対応付けて原理が示されている。また、同様に、理解を容易にするため、検出動作手順をステップS番号で示している。
【００４７】
なお、同図では、オーダワイヤシステムにおいて、他のオーダワイヤ通信装置を呼び出す信号方式の一例としてディジタルDTMF信号方式を示しているが、本発明のオーダワイヤ装置100は、このディジタルDTMF信号方式には限定されない。
【００４８】
本発明のオーダワイヤ通信装置100は、テスト信号発生回路23及びテスト信号検出回路20を備えている。テスト信号発生回路23は、他のオーダワイヤ通信装置を呼び出すための呼出信号(ディジタルDTMF信号(電話番号信号))以外の所定の呼出信号(テスト用ディジタルDTMF信号(例えば、電話番号信号＝“9999”))704をテスト用信号として発生してオーダワイヤ回線(下り回線300b)310に送出する(ステップS100参照。)。
【００４９】
この信号704は、他のオーダワイヤ通信装置、例えば同図では、通信局200_1及び200_2の無線装置100_1及び100_2を呼び出す信号ではないので通信局200_2，200_3(図11参照。)の無線装置100_1，100_2のディジタルDTMF信号検出回路では検出されない。
【００５０】
しかし、オーダワイヤシステム内において、自オーダワイヤ通信装置100を含むループ(自オーダワイヤ通信装置100_1内のループを含む。)が発生している場合、例えば、同図で通信局200_3の無線装置100_1にループが発生している場合(ステップS101参照。)、このループを経由してテスト信号704が、オーダワイヤ回線(上り)300aを経由してオーダワイヤ通信装置100に戻って来る。この戻って来たテスト信号704を、テスト信号検出回路20が検出する(ステップS102参照。)。
【００５１】
これにより、オーダワイヤループテスト用測定器70(図15参照。)を外部に接続すること無く、また、他のオーダワイヤ通信装置に特別の手段を設けること無く、オーダワイヤシステム内において形成された自通信装置を含むループを検出することが可能になる。
【００５２】
図２は、本発明の原理(2)を示しており、同図では、図１と同様にディジタルDTMF信号を呼出信号とするオーダワイヤ通信装置(無線装置)100の機能に対応付けて原理が示されている。
【００５３】
原理(2)が、原理(1)と異なる点は、テスト信号発生回路23(図1参照)を既存のディジタルDTMF信号発生回路(呼出信号発生回路)10zと共用していることであり、特にテスト信号発生回路23を必要としない。
【００５４】
動作において、原理(2)の動作は、原理(1)と同様であり、図２のステップS101〜S102が、それぞれ、図１のステップS101〜S102に対応している。
【００５５】
これにより、新たにテスト用の信号発生回路を設ける必要が無くなり、安価に通信装置を構成することが可能になる。
【００５６】
また、本発明は、上記の本発明において、該テスト信号発生回路が該所定の呼出信号を発生しているときのみ、該テスト信号検出回路が該所定の呼出信号を検出するように、該テスト信号発生回路及び該テスト信号検出回路の中の少なくともいずれか一方を制御する制御回路をさらに備えることができる。
【００５７】
すなわち、図１に示すように、制御回路12は、例えば、ループテスト中のときのみ、該所定の呼出信号(テスト信号)704を発生するようにテスト信号発生回路23を制御するか、ループテスト中のときのみテスト信号を検出するようにテスト信号検出回路20を制御するか、又は両者を制御する。
【００５８】
これにより、テスト信号検出回路20は、自装置がループテスト中に発生したテスト信号(すなわち、所定の呼出信号)704のみでループテストを行い、他のオーダワイヤ通信装置が発生したテスト信号(所定の呼出信号)を誤って自通信装置が送出したテスト信号として受信しないようにしている。
【００５９】
本発明は、上記の本発明において、該所定の呼出信号を指定する信号を該テスト信号発生回路に与えると共に、該制御回路12にテストの実行を指示する端末をさらに有することができる。
【００６０】
すなわち、端末(例えば、電話機)40は、テスト信号発生回路23に所定の呼出信号を指定する信号を与えと共に、制御回路12にループテスト実行を指示する。
【００６１】
なお、所定の呼出信号を指定することが可能な(例えば、他のオーダワイヤ通信装置の呼出信号以外を指定することが可能な)従来のオーダワイヤ電話機40zを、所定の呼出信号指定をテスト実行指示として用いれば電話機40zに他の機能を追加することなく、或いはテスト実行指示機能を追加することで、従来の電話機40zを端末として共用することが可能になる。
【００６２】
これにより、安価なオーダワイヤ通信装置を構成することが可能になる。また、システム管理者がテストを行うに適した場所に端末40zを配置することが可能になる。
【００６３】
さらに、本発明は、上記の本発明において、該所定の呼出信号として、自通信装置を呼び出す呼出信号を用いることができる。
【００６４】
すなわち、テスト信号発生回路23は、所定の呼出信号704として自オーダワイヤ通信装置100を呼び出す呼出信号(電話番号)＝例えば“1111”を用いることができる。
【００６５】
これにより、テスト信号検出回路として、自オーダワイヤ通信装置100に備えられた、自装置100を呼び出す呼出信号を検出する既存の信号検出回路(＝ディジタルDTMF信号検出回路13：この回路は本来自装置呼出信号を検出するための回路である。)と共用することが可能になる。すなわち、特に、図２に示したテスト信号検出回路20を設けず、ディジタルDTMF信号発生回路10がテスト信号検出を代行する。これにより、さらに、安価に通信装置を構成することが可能になる。
【００６６】
自通信装置の呼出信号をテスト信号として用いた場合、さらに、既存の呼出信号発生回路10及び既存の呼出信号検出回路13を用いることで、さらに、安価に通信装置を構成することができる。
【００６７】
また、図３の原理(3)に示すように、他のオーダワイヤ通信装置が自通信装置100を呼び出す呼出信号を、自オーダワイヤ通信装置が送出した呼出信号(テスト信号)と誤ることを防止するために、受信した信号が、該テスト信号及び通常の呼出信号のいずれであるかを判定して示す判定回路24を備えてもよい。
【００６８】
例えば、図４の原理(4)に示すように、判定回路24が、テスト用信号の受信と、他の通信装置100から自通信装置呼出信号の受信とを、リンガー周波数変換回路27を用いて、音色で区別して示すようにしてもよい。また、テスト信号＝ループ検出音の鳴動間隔と、自通信装置呼出信号の受信を示す着呼音の鳴動間隔とを鳴り分けるようにしてもよい。また、テスト用信号の検出と、呼出信号の受信とを異なる色の光で示すようにしてもよい。
【００６９】
さらに、テスト時期を指定するタイマ(図示せず。)をさらに備え、このタイマが、自オーダワイヤ通信装置がループテストを実施する時期を、例えば、テスト信号発生回路に指定するようにしてもよい。これにより、自オーダワイヤ通信装置が実行するループテストの時期と、他のオーダワイヤ通信装置のループテストの時期時間をずらすことが可能になり、例えば、自他通信装置が同じテスト信号(呼出信号)を使用した場合においても、テスト信号を同時に送出することが無くなり、他装置が送出したテスト信号で誤判定することがなくなる。
【発明の効果】
【００７０】
以上説明したように、本発明のオーダワイヤ通信装置によれば、自分自身に実装したループテスト機能を用いることにより、迅速に且つ効率的にオーダワイヤ回線のループの有無を検出することが可能になる。
【００７１】
また、従来のオーダワイヤループテスト用測定器(テスト信号発生器及びレベルメータ)を用いた場合と比較して、高価な測定器が不要であること、この結果として測定器を現地の通信局に運び込むという作業がなくなり、費用及び作業の両面の削減が可能になる。
【００７２】
また、ループ確認試験を含む、工事・現地調整に掛かる時間を短縮することができ、特に、オーダワイヤの問題とオーダワイヤ以外の問題との切り分け作業に効果を発揮する。
【発明を実施するための最良の形態】
【００７３】
実施例(1)
図５は、本発明のオーダワイヤ通信装置100の実施例(1)を示している。この実施例(1)が、図14に従来のオーダワイヤ通信装置100zと異なる点は、ディジタルDTMF信号発生回路10zの代わりにテスト信号発生回路23を含むディジタルDTMF信号発生回路10を備え、ディジタルDTMF信号検出回路13zの代わりにテスト信号検出回路20を含むディジタルDTMF信号検出回路13を備えていることである。なお、テスト信号検出回路20は、所定の呼出信号である、例えばディジタルDTMF信号＝“9999”を検出する検出回路である。
【００７４】
また、電話機本体42が、図14に示した電話機本体42と異なる点は、テストスイッチ51、アナログDTMF制御回路52、及びリンガー制御回路53が追加されていることである。
【００７５】
以下に、本発明のオーダワイヤ通信装置100及び電話機40を動作を説明する。
【００７６】
この実施例(1)では、電話機40の受話器41を置いた状態でテストが可能であり、このとき、電話機本体42のオン/オフ・フック制御回路45は、オン状態を示すオン/オフ・フック状態通知701をオーダワイヤ通信装置100のオン/オフ・フック制御回路12に送り、この制御回路12はスイッチ17_1＝“オン”、及びスイッチ17_2＝“オフ”の待機中状態に保っている。
【００７７】
ステップS300：システム管理者は、受話器41を置いたまま、テストスイッチ51を“オン”にしてアナログDTMF制御回路52に対してループテストを実行することを指示する。制御回路52は、アナログDTMF信号発生回路44をオンフック状態においてもテスト用の所定の電話番号を入力出来るように制御する(通常のテストスイッチ51を“オフ”状態における“オンフック状態”の時には電話は出来ない。)。
【００７８】
ステップS301：さらに、システム管理者は、テンキー43からテスト用呼出番号＝例えば“9999”をアナログDTMF信号発生回路44に入力する。この信号発生回路44は、２-ワイヤ信号線にアナログテスト用DTMF信号703を出力する。
【００７９】
ステップS302：オーダワイヤ通信装置100において、テスト信号発生回路23は、テスト用DTMF信号703を受信したとき、テスト用ディジタルDTMF信号704をオーダワイヤ回線310(下り回線300b)に出力する。
【００８０】
このオーダワイヤ回線310を経由してディジタルDTMF信号704は、通信局200_2，200_3，…等に送られる。
ステップS303：通信局200_3の無線装置(オーダワイヤ通信装置)100_1において、ループが発生している場合、この無線装置100_1を経由して、ディジタルDTMF信号704は、下り回線300bに伝送される。
【００８１】
ステップS304：オーダワイヤ通信装置100において、テスト信号検出回路20は、予めディジタルDTMF信号＝“9999”を検出するように設定されており、ディジタルDTMF信号704＝“9999”を検出したとき、リンガー回路制御信号705をリンガー回路15に与える。リンガー回路15は、リンガー信号706を２-ワイヤ信号線を経由して電話機本体42のリンガー制御回路53に送信する。リンガー制御回路53は、リンガー駆動回路46を経由してベル47を鳴動する。
【００８２】
これにより、自オーダワイヤ通信装置100を含むループを、他のオーダワイヤ通信装置に特別な手段を実装することなく、安価に検出することが可能になる。また、システム管理者は、通信局200_1のオーダワイヤ通信装置100自身のループテストを電話機40の受話器41を置いたまま実施できる。したがって、他局から通常のオーダワイヤ信号(呼出信号)を受信することも可能であるので緊急時にも対応できる。
【００８３】
また、オーダワイヤ通信装置100が設置された機械室と離れたメンテナンス室に電話機40を置いてループテストを実施することが可能である。
【００８４】
なお、この実施例(1)では、電話機本体42にテストスイッチ51、アナログDTMF制御回路52、及びリンガー制御回路53を追加すると共に、アナログDTMF信号発生回路44を変更したが、この実施例(1)の変形例として、電話機本体42に追加回路を実装せずに、オーダワイヤ通信装置100に実装するようにしてもよい。これによれば、従来の電話機40をそのまま使用できる。
【００８５】
また、実施例(1)の別の変形例として、テスト信号検出回路20を設けず、システム管理者は、ステップS301において、自分自身の電話番号、例えば“1234”を入力して、オーダワイヤ回線310にテスト用ディジタルDTMF信号704＝“1234”を送出する。そして、この信号704は、ループが発生している場合、ディジタルDTMF信号検出回路13に戻って来る。
【００８６】
検出回路13は、自分自身の電話番号である“1234”を検出する。これによっても、ループ検出は可能である。この場合、テスト信号検出回路20を備える必要がなくなり、より安価な装置を構成することができる。
【００８７】
実施例(2)
図６は、本発明のオーダワイヤ通信装置100の実施例(2)を示している。この実施例(2)が、図５に示した実施例(1)と異なる点は、実施例(1)のテスト信号発生回路23が無く、このテスト信号発生回路23の代わりに従来のディジタルDTMF信号発生回路10zを用い、新たなベル22がリンガー駆動回路21に接続されていることである。また、電話機40は従来の電話機40zを用いることも異なっている。
【００８８】
以下に、本発明のオーダワイヤ通信装置100を動作を説明する。
【００８９】
ステップS400：システム管理者が、受話器41を取上げと、これを検出したオン/オフ・フック制御回路45は、オフフック状態を示すオン/オフ・フック状態通知701をオーダワイヤ通信装置100のオン/オフ・フック制御回路12に与える。
【００９０】
オン/オフ・フック制御回路12は、それぞれ、制御信号702_1，702_2でスイッチ17_1，17_2を制御して、“オン”状態、“オフ”状態にする。
【００９１】
ステップS401：システム管理者は、テンキー43からテスト用呼出番号＝例えば“9999”をアナログDTMF信号発生回路44に入力する。この信号発生回路44は、２-ワイヤ信号線60にアナログテスト用DTMF信号703を出力する。
【００９２】
ステップS402：オーダワイヤ通信装置100において、テスト信号発生回路10は、テスト用ディジタルDTMF信号704をオーダワイヤ回線310(下り回線300b)に出力する。
【００９３】
このオーダワイヤ回線310を経由してディジタルDTMF信号704は、通信局200_2，200_3，…等に送られる。
【００９４】
ステップS403，S404：図１に示したステップS303及びS304と同様に、通信局200_3の無線装置100_1を経由して、ディジタルDTMF信号704は、下り回線300bに伝送され、テスト信号検出回路20は、ディジタルDTMF信号704＝“9999”を検出し、リンガー回路制御信号705をリンガー回路15に与える。
【００９５】
さらに、リンガー回路15は、リンガー駆動回路21を介してベル22を鳴動する。なお、リンガー駆動回路21を設けず図14の通信局200_2の無線装置100z_1の動作手順で示したように、リンガー回路15が、リング・バック・トーン回路16を経由してリンガー信号706(806)を電話機40zのリンガー駆動回路46に送り、ベル47を鳴動するようにしてもよい。
【００９６】
これによっても、自オーダワイヤ通信装置100を含むループを、他のオーダワイヤ通信装置に特別な手段を実装することなく、安価に検出することが可能になる。
【００９７】
また、システム管理者は、通信局200_1のオーダワイヤ通信装置100自身のループテストを電話機40の受話器41を持ち上げてループテストを行わなければならないが、テスト信号発生回路23は不要である。また、電話機は従来の電話機40zを使用することができる。実施例(1)と比較して安価に装置を構成することが可能になる。
【００９８】
また、実施例(1)の別の変形例として示したように、テスト信号検出回路20を設けず、システム管理者は、ステップS401において、自分自身の電話番号、例えば“1234”を入力して、オーダワイヤ回線310にテスト用ディジタルDTMF信号704＝“1234”を送出する。そして、ディジタルDTMF信号検出回路13に戻って来た自分自身の電話番号である“1234”を検出する。これによれば、テスト信号発生回路23及びテスト信号検出回路20を共に備える必要がなくなり、より安価な装置を構成することができる。
【００９９】
実施例(3)
図７は、本発明のオーダワイヤ通信装置100の実施例(3)を示している。この実施例(3)が、図５に示した実施例(1)と異なる点は、ディジタルDTMF信号検出回路13とリンガー回路15の間にリンガー制御回路25が設けられていることである。
【０１００】
リンガー制御回路25は、判定回路24及びリンガー間隔変換回路26を含んでいる。判定回路24は、検出回路13及び20から入力された信号が、ディジタルDTMF信号検出回路13のD/A変換器14及びテスト信号検出回路20の内のいずれから入力されたかを判定して、判定結果をリンガー間隔変換回路26に通知する。
【０１０１】
この判定結果に基づき、リンガー間隔変換回路26は、電話機40のベル47を鳴動させる時間間隔を異なるように変換する。
【０１０２】
これにより、システム管理者は、ベル47の鳴動が、通常のオーダワイヤ通信の呼出信号(実オーダワイヤDTMF信号)714を受信したか、又は自分自身が送出したループテスト用ディジタルDTMF信号704を検出したかを判断することが可能になる。
【０１０３】
すなわち、ループテスト中に受信した通常の呼出信号を判別することが可能になり、通常の呼出信号の受信をループ検出と誤認しなくなる。
【０１０４】
実施例(4)
図８は、本発明のオーダワイヤ通信装置100の実施例(4)を示している。この実施例(4)が、図７に示した実施例(3)と異なる点は、リンガー制御回路25とリンガー回路15の間に、リンガー周波数変換回路27が挿入されていることである。この変換回路27は、異なる周波数の発振器28_1，28_2を備えている。さらに、電話機本体42のベル47の代わりにスピーカ54が用いられていることも異なっている。
【０１０５】
動作において、判定回路24の判定結果に基づき、通常の呼出信号を受信した場合に鳴動するスピーカ54の音色と、ループテスト用のディジタルDTMF信号を受信した場合に鳴動するスピーカ54の音色が異なるようにすることにより、システム管理者が、受信した呼出信号とディジタルDTMF信号とを判別することができる。
【０１０６】
実施例(5)
図９は、本発明のオーダワイヤ通信装置100の実施例(5)を示している。この実施例(5)が、図８に示した実施例(4)と異なる点は、判定回路24を含むリンガー制御回路25にLED制御回路29が接続され、このLED制御回路29にテストLED30_1及び着呼LED30_2が接続されていることである。
【０１０７】
動作において、LED制御回路29は、通常の呼出信号を受信したとき着呼LED30_2を点灯し、ループテスト用のディジタルDTMF信号を受信したときテストLED30_1を点灯する。
【０１０８】
これによっても、システム管理者は、受信した呼出信号とループテスト用のディジタルDTMF信号704とを容易に判別することができる。
【０１０９】
実施例(6)
図10は、本発明のオーダワイヤ通信装置100の実施例(6)を示している。この実施例(6)が、図９に示した実施例(5)と異なる点は、テスト信号発生回路23にタイマ31を備えていることである。
【０１１０】
動作において、タイマ31にループテストを実行する時刻(時間)を、他のオーダワイヤ通信装置100が実行する時間とは異なる時間に設定する。
【０１１１】
これにより、他のオーダワイヤ通信装置100において送出されたループテスト用のDTMF信号と、自分自身が送出したループテスト用のDTMF信号を混同し無くなる。
【０１１２】
（付記１）
他のオーダワイヤ通信装置を呼び出す呼出信号以外の所定の呼出信号をテスト用信号として発生してオーダワイヤ回線に送出するテスト信号発生回路と、
該所定の呼出信号を検出するテスト信号検出回路と、
を備えたことを特徴とするオーダワイヤ通信装置。
（付記２）上記の付記１において、
該テスト信号発生回路が該所定の呼出信号を発生しているときのみ、該テスト信号検出回路が該所定の呼出信号を検出するように、該テスト信号発生回路及び該テスト信号検出回路の中の少なくともいずれか一方を制御する制御回路をさらに備えたことを特徴とするオーダワイヤ通信装置。
（付記３）上記の付記２において、
該所定の呼出信号を指定する信号を該テスト信号発生回路に与えると共に、該制御回路にテストの実行を指示する端末をさらに有することを特徴としたオーダワイヤ通信装置。
（付記４）上記の付記１において、
該所定の呼出信号が、自通信装置を呼び出す呼出信号であることを特徴としたオーダワイヤ通信装置。
【図面の簡単な説明】
【０１１３】
【図１】本発明に係るオーダワイヤ通信装置の原理(1)を示したブロック図である。
【図２】本発明に係るオーダワイヤ通信装置の原理(2)を示したブロック図である。
【図３】本発明に係るオーダワイヤ通信装置の原理(3)を示したブロック図である。
【図４】本発明に係るオーダワイヤ通信装置の原理(4)を示したブロック図である。
【図５】本発明に係るオーダワイヤ通信装置の実施例(1)を示したブロック図である。
【図６】本発明に係るオーダワイヤ通信装置の実施例(2)を示したブロック図である。
【図７】本発明に係るオーダワイヤ通信装置の実施例(3)を示したブロック図である。
【図８】本発明に係るオーダワイヤ通信装置の実施例(4)を示したブロック図である。
【図９】本発明に係るオーダワイヤ通信装置の実施例(5)を示したブロック図である。
【図１０】本発明に係るオーダワイヤ通信装置の実施例(6)を示したブロック図である。
【図１１】一般的なオーダワイヤ通信装置でリニア構成されたオーダワイヤシステムの構成例(1)を示したブロック図である。
【図１２】一般的なオーダワイヤ通信装置でリング構成されたオーダワイヤシステムの構成例(2)を示したブロック図である。
【図１３】一般的なオーダワイヤシステムにおいて発生可能なループを示したブロック図である。
【図１４】従来のオーダワイヤ通信装置の構成及びその動作手順を示したブロック図である。
【図１５】従来のオーダワイヤ通信装置で構成されたオーダワイヤシステムにおけるループテストを示したブロック図である。
【符号の説明】
【０１１４】
100，100_1〜100_2，100z，100z_1，100z_2  オーダワイヤ通信装置、オーダワイヤ無線装置
10，10z  ディジタルDTMF信号発生回路、テスト信号発生回路
11  A/D変換器                        12  オン/オフ・フック制御回路、制御回路
13，13z  ディジタルDTMF信号検出回路  14  D/A変換器
15，15z  リンガー回路                16  リング・バック・トーン回路
17_1，17_2  スイッチ                 18_1，18_2  端子
20  テスト信号検出回路               21  リンガー駆動回路
22  ベル                             23  テスト信号発生回路
24  判定回路                         25  リンガー制御回路
26  リンガー間隔変換回路             27  リンガー周波数変換回路
28_1，28_2  発振器                   29  LED制御回路
30_1  テストLED                      30_2  着呼LED
31  タイマ
40，40z，40z_1_1〜40z_4_1，40z_1_2〜40z_4_2，40z_1_3〜40z_1_6  電話機、端末
41，41z  受話器                      42，42z  電話機本体
43  テンキー                         44  アナログDTMF信号発生回路
45  オン/オフ・フック制御回路         46  リンガー駆動回路
47  ベル                             51  テストスイッチ
52  アナログDTMF制御回路             53  リンガー制御回路
54  スピーカ                         60，60_1，60_2  ２-ワイヤ信号線
70  オーダワイヤループテスト用測定器  71  テスト信号発生器
72  レベルメータ                     110_1〜110_4，120_1，120_2  高次群MUX
130  制御監視装置                    200_1〜200_4  通信局
300，300_1〜300_4  無線回線          310  オーダワイヤ回線
300a  上り回線                       300b  下り回線
400_1〜400_19  ループ                701  オン/オフ・フック状態通知
702_1，702_2  スイッチ制御信号       703  テスト用DTMF信号(アナログ)
704  テスト用DTMF信号(ディジタル)    705  リンガー回路制御信号
706  リンガー信号                    707  判定信号
708  制御信号                        710，710_1，710_2  オーダワイヤ信号
714  オーダワイヤ用DTMF信号(ディジタル)
801  オン/オフ・フック状態通知        802_1，802_2  スイッチ制御信号
803  アナログDTMF信号                804  ディジタルDTMF信号
805  リンガー回路制御信号            806  リンガー信号
807  リンガーバックトーン信号        810  テスト用信号
900  オーダワイヤ信号カット
図中、同一符号は同一又は相当部分を示す。
【図１】
2005223692.tif 000003
【図２】
2005223692.tif 000004
【図３】
2005223692.tif 000005
【図４】
2005223692.tif 000006
【図５】
2005223692.tif 000007
【図６】
2005223692.tif 000008
【図７】
2005223692.tif 000009
【図８】
2005223692.tif 000010
【図９】
2005223692.tif 000011
【図１０】
2005223692.tif 000012
【図１１】
2005223692.tif 000013
【図１２】
2005223692.tif 000014
【図１３】
2005223692.tif 000015
【図１４】
2005223692.tif 000016
【図１５】
2005223692.tif 000017